(57)【要約】      （修正有）【課題】カバン及び衣類以外の他の物品についても、使用者が装飾を自由にアレンジすることを可能にする物品、装飾物、及びそれらの組み合わせを提供する。【解決手段】面ファスナーが取り付けられた物品であって、人形、携帯端末用ケース、シューズ、キャップ、ニット帽、タオル、発光棒、収納箱、書籍カバー、ＩＣカード、楽器、うちわ、筆記具、及びマフラーからなる群から選択される物品と、物品に取り付けられた面ファスナーに対応する面ファスナーが取り付けられた装飾物であって、ファー状の装飾品、宝石様の装飾品、文字表示物、キャラクター表示物、機能物、及び収納具からなる群から選択される装飾物と、前記物品と装飾物を含む組み合わせからなる。【選択図】図１
0003216175.tif 000002
【実用新案登録請求の範囲】
【請求項１】
面ファスナーが取り付けられた物品であって、人形、携帯端末用ケース、シューズ、キャップ、ニット帽、タオル、発光棒、収納箱、書籍カバー、ＩＣカード、楽器、うちわ、筆記具、及びマフラーからなる群から選択される前記物品。
【請求項２】
前記面ファスナーは、雄部又は雌部が形成されたナイロン層、前記ナイロン層の下のアクリル層、及び前記アクリル層の下のＰＶＣ層を含む、請求項１に記載の物品。
【請求項３】
前記物品は、全体が前記面ファスナーで形成された人形である、請求項１又は２に記載の物品。
【請求項４】
前記物品は、アッパーに前記面ファスナーが取り付けられたシューズである、請求項１又は２に記載の物品。
【請求項５】
前記物品は、外側に前記面ファスナーが取り付けられた携帯端末用ケースである、請求項１又は２に記載の物品。
【請求項６】
前記物品は、クラウン部の前方部分に前記面ファスナーが取り付けられたキャップ、又は折り返し部の前方部分に前記面ファスナーが取り付けられたニット帽である、請求項１又は２に記載の物品。
【請求項７】
物品に取り付けられた面ファスナーに対応する面ファスナーが取り付けられた装飾物であって、ファー状の装飾品、宝石様の装飾品、文字表示物、キャラクター表示物、機能物、及び収納具からなる群から選択される前記装飾物。
【請求項８】
請求項１〜６のいずれか１項に記載の物品と、
請求項７に記載の装飾物と
を含む組み合わせ。
【考案の詳細な説明】
【技術分野】
【０００１】
本考案は、装飾物が着脱自在に付着される物品、該装飾物及びそれらの組み合わせに関する。詳細には、本考案は、面ファスナーの雌部（又は雄部）が取り付けられた物品であって、面ファスナーの雄部（又は雌部）が取り付けられた装飾物が着脱自在に付着される該物品、該装飾物、並びに該物品及び該装飾物の組み合わせに関する。
【背景技術】
【０００２】
従来より、カバンや衣類などにシール、缶バッジなどの装飾品を取り付け、カバンや衣類を装飾することは一般的に行われている。特許文献１は、面ファスナーが取り付けられたカバン、スボン、上着、又はリストバンドに、対応する面ファスナーを有する収納具又は装飾材を付着させたカバン、スボン、上着、又はリストバンドを開示する。
【先行技術文献】
【特許文献】
【０００３】
【特許文献１】特開２００８−６７９７２号公報
【考案の概要】
【考案が解決しようとする課題】
【０００４】
特許文献１には、カバン、ズボン、上着、及びリストバンドなどに面ファスナーを利用して相互に着脱自在に付着される収納具及び装飾品が開示されている。しかしながら、現代人の趣向は多岐にわたり、カバンやスボンなどへの装飾に加えて、他の物品について、使用者が装飾を自由にアレンジすることを可能にする手段が望まれている。
【０００５】
そこで、本考案は、面ファスナーの雌部（又は雄部）が取り付けられた物品であって、面ファスナーの雄部（又は雌部）が取り付けられた装飾物が着脱自在に付着される該物品、該装飾物、並びに該物品及び該装飾物の組み合わせを提供することを目的とする。
【課題を解決するための手段】
【０００６】
本考案には、以下の態様が含まれる。
〔１〕
面ファスナーが取り付けられた物品であって、人形、携帯端末用ケース、シューズ、キャップ、ニット帽、タオル、発光棒、収納箱、書籍カバー、ＩＣカード、楽器、うちわ、筆記具、及びマフラーからなる群から選択される前記物品。
〔２〕
前記面ファスナーは、雄部又は雌部が形成されたナイロン層、前記ナイロン層の下のアクリル層、及び前記アクリル層の下のＰＶＣ層を含む、〔１〕に記載の物品。
〔３〕
前記物品は、全体が前記面ファスナーで形成された人形である、〔１〕又は〔２〕に記載の物品。
〔４〕
前記物品は、アッパーに前記面ファスナーが取り付けられたシューズである、〔１〕又は〔２〕に記載の物品。
〔５〕
前記物品は、外側に前記面ファスナーが取り付けられた携帯端末用ケースである、〔１〕又は〔２〕に記載の物品。
〔６〕
前記物品は、クラウン部の前方部分に前記面ファスナーが取り付けられたキャップ、又は折り返し部の前方部分に前記面ファスナーが取り付けられたニット帽である、〔１〕又は〔２〕に記載の物品。
〔７〕
物品に取り付けられた面ファスナーに対応する面ファスナーが取り付けられた装飾物であって、ファー状の装飾品、宝石様の装飾品、文字表示物、キャラクター表示物、機能物、及び収納具からなる群から選択される前記装飾物。
〔８〕
〔１〕〜〔６〕のいずれか１項に記載の物品と、
〔７〕に記載の装飾物と
を含む組み合わせ。
【考案の効果】
【０００７】
本考案の一実施形態に係る物品には、装飾物が着脱自在に付着されるので、使用者は、物品をあたかもキャンパスに見立て、装飾物を自由にアレンジし、自分好みのデザインを創作することが可能となる。
【図面の簡単な説明】
【０００８】
【図１】一実施形態に係る物品の例を示す図である。
【図２】一実施形態に係る物品の例を示す図である。
【図３】一実施形態に係る面ファスナーの概略断面図である。
【図４】一実施形態に係る装飾物の例を示す図である。
【図５】一実施形態に係る物品と装飾物の組み合わせの例を示す図である。
【考案を実施するための形態】
【０００９】
本明細書において「物品」とは、人が使用し、着用し、装着し、かぶり、履き、持ち運び、及び／又は演奏する等の対象となる物品をいう。また、「装飾物」とは、長さ、面積、及び体積のうちの少なくとも１つが「物品」のものよりも小さい物品であり、「物品」に着脱自在に付着されるものをいう。「装飾物」には、装飾を目的とする品、単なる文字、ブランド名又は催し物を示す文字を記す文字表示物、動物や著名キャラクターなどを示すキャラクター表示物、時計やライト、充電ケーブルなどの各種ケーブル、バッテリーなどそれ事態で機能を発揮する機能物、又は小物や電子機器を収納する収納具が含まれる。以下、本考案の実施形態について図面を参照しながら説明する。
【００１０】
図１及び図２は、本考案の一実施形態に係る物品の例を示す図である。図１には、物品の具体例として、人形１０、スマートフォン又はタブレット端末などの携帯端末用ケース１１、シューズ１２、キャップ１３、及びニット帽１４が示されている。
【００１１】
図２は、物品の別の具体例として、Ｔシャツ又はジャンバーなどの衣類１５、タオル１６、サイリウムなどの発光棒１７、商品などを収納しておく収納箱１８、書籍、パンフレット又は台本などの書籍カバー１９、電子マネー又は交通系ＩＣカードなどのＩＣカード２０（またはＩＣカード用ケース）、各種カバン２１、ギターなどの楽器２２、うちわ２３、ペンケースなどの筆記具２４、及びマフラー２５が示されている。図中の符号Ａは、面ファスナーの配置例を指すが、面ファスナーの配置は、この例に限定されるものではない。
【００１２】
物品及び装飾物には、表面全体又は一部に面ファスナーが取り付けられている。面ファスナーは、互いに向き合う２面にそれぞれ多数の係合部（雄部）と被係合部（雌部）が形成されており、係合部と被係合部は、着脱自在に係合することができる。好ましくは、物品の面ファスナーが雌部であり、装飾物の面ファスナーが雄部である。
【００１３】
面ファスナーは、多数回着脱しても劣化の心配がなく、付着強度も比較的高く、故意に剥がそうとしない限り物品から装飾物を剥がすことは難しい。また、面ファスナーどうしの着脱時に固有の音が発生するが、使用者は、装飾物が物品から意図せずに剥がれた（又は他人により剥がされた）場合であっても、この音の発生によりそれに気づくことが可能となる。
【００１４】
本実施形態の面ファスナーは、図３の概略断面図に示すように、３層構造をとり、雄部及び雌部が形成される外側表面のナイロン層、ナイロン層の下のアクリル層、及びアクリル層の下のＰＶＣ（ポリ塩化ビニル）層から構成される。表面のナイロン層（雄部又は雌部）は、塵埃が付着しにくいように短毛及び高密度に形成されたものを用いるとよい。
【００１５】
本実施形態では、物品及び装飾物の多数回の着脱に際し、面ファスナー部分が痛みにくいよういにするために、アクリル層の下にさらに厚さ０．１〜１．５ｍｍ程度のＰＶＣ層を設けている。この構成により、着脱時の面ファスナーの引っ張りに対する強度が向上し、多数回の着脱による面ファスナーの劣化（伸び）を大きく低減することができる。ＰＶＣ層の厚さを調整することで、引っ張りに対する強度も調整することができる。
【００１６】
本実施形態の面ファスナーの具体例として、限定されないが、株式会社セイホウの製品名「ＳＨ１０５−Ｃ」の面ファスナーにさらにＰＶＣ層を付加したものを用いることができる。また、面ファスナーそのものを物品の生地として用いることもでき、その場合は、アクリル層又はＰＶＣ層の下にさらにコットンツイル生地などを付加した面ファスナー生地を用いて物品を形成するようにしてもよい。本実施形態の「面ファスナー」には、面ファスナー生地も含まれる。例えば、人形１０の表面全体を面ファスナー生地で作成し、表面全体に装飾物を着脱自在に付着できるようにしてもよい。また、シューズのアッパー全体を面ファスナー生地で形成し、アッパー全体に装飾物を着脱自在に付着できるようにしてもよい。
【００１７】
図１及び図２に示す物品のそれぞれには面ファスナーが取り付けられている。人形１０には、その表面全体に面ファスナーが取り付けられ、又は面ファスナーで人形１０の表面全体が形成されている。ここで、「全体」（又は「全面」）には略全体（又は略全面）（例えば表面全体の７０％〜９９％以上）も含まれる（以下同じ）。
【００１８】
スマートフォン又はタブレット端末などの携帯端末用ケース１１には、外側表面の全体が面ファスナーで形成され、又は一部に面ファスナーが取り付けられている。シューズ１２には、アッパー全体が面ファスナーで形成され、又はアッパーの一部に面ファスナーが取り付けられている。
【００１９】
キャップ１３には、クラウン部の前方部分又はつばの部分に面ファスナーが取り付けられている。キャップ１３は、つばの無いものまたは野球帽のような一部のみつばがあるものも含む。ニット帽１４には、前方下部のニットの折り返し部分に面ファスナーが取り付けられている。ニット帽１４は、つば付きニット帽であってもよい。
【００２０】
衣類１５には、前面又は背面の一部に面ファスナーが取り付けられている。タオル１６には、タオルの端部等に面ファスナーが取り付けられている。発光棒１７は、発光棒の先端等に面ファスナーが取り付けられている。収納箱１８は、全体又は一部に面ファスナーが取り付けられている。書籍カバー１９には、表面や裏面の一部に面ファスナーが取り付けられている。ＩＣカード２０には、ＩＣカードリーダとの間の通信を妨げない部分に面ファスナーが取り付けられている。
【００２１】
カバン２１には、全体若しくは一部に面ファスナーが取り付けられている、又は面ファスナーでカバン２１全体（取っ手部分を除く）が形成されている。楽器２２には、音への影響を与えない部分に面ファスナーが取り付けられている。うちわ２３には、扇部の一部に面ファスナーが取り付けられている。筆記具２４には、全体又は一部に面ファスナーが取り付けられている。マフラー２５には、片方又は両方の端部に面ファスナーが取り付けられている。
【００２２】
図４は、本考案の一実施形態に係る装飾物の例を示す図である。図４には、装飾物の具体例として、ファー状の小物や宝石様の物などの装飾を目的とする品５０〜５２、単なる文字、ブランド名又は催し物を示す文字が記載された小片である文字表示物５３、動物やブランドキャラクターなどが描かれたキャラクター表示物５４、時計やライト、充電ケーブルなどの各種ケーブル、バッテリーなどそれ自体で所定の機能を発揮する機能物５５、並びに小物又はスマートフォンなどの電子機器を収納する収納具５６が示されている。装飾品５０〜５２、文字表示物５３、キャラクター表示物５４、機能物５５、及び収納具５６には、一部又は全体に、物品に取り付けられた面ファスナー（例えば雌部）に対応する面ファスナー（例えば雄部）が取り付けられている。
【００２３】
図５は、図１の具体例として記載の物品に、図４に記載の装飾物を付着させた部ピンと装飾物との組み合わせの一例を示す図である。使用者は、自身の好みに合わせて、好みの装飾物を物品に付着させて、自由に装飾をアレンジすることができる。また、使用者は、物品と装飾物との付着が面ファスナーによるものであるため、自由に着脱自在であるため、装飾物を自由に好きなように変更することができる。
【００２４】
本実施形態に係る物品及び装飾物の組み合わせは、様々な用途に利用することができる。例えば、コンサートなどの催し物会場などの物販所で、物販品として衣類１５、タオル１６、発光棒１７、書籍カバー１９、うちわ２３、又はマフラー２５と、単なる文字、ブランド名又は催し物を示す文字（歌手名、コンサート名など）が記載された表示物５３とを販売し、その場でそれらを付着し、コンサートを盛り上げることが可能となる。また、いったんこれらの物品や装飾物を購入しておけば、次回のコンサート等でも同じものを再度利用することもできる。
【００２５】
スマートフォン又はタブレット端末などの携帯端末用ケース１１は、物品としても用いることができるし、カバン２１等に付着できる装飾物の収納具として用いてもよい。これにより、使用者は、カバン２１内にスマートフォン又はタブレット端末などの携帯端末を入れておく必要がなく、携帯端末をカバンから取り出す労力が低減される。面ファスナーは比較的強固に物品と装飾物とを付着し、また着脱の際に音を発生するため、装飾物の紛失や盗難等のおそれも低減される。
【００２６】
上記実施形態で説明される寸法、材料、形状、構成要素の相対的な位置等は任意であり、本考案が適用される装置の構造又は様々な条件に応じて変更される。また、本考案は、具体的に記載された上記実施形態に限定されるものではない。物品と装飾物との任意の組み合わせについても本考案の対象である。
【符号の説明】
【００２７】
１０：人形
１１：スマートフォン又はタブレット端末用のケース
１２：シューズ
１３：キャップ
１４：ニット帽
１５：衣類
１６：タオル
１７：発光棒
１８：収納箱
１９：書籍カバー
２０：ＩＣカード
２１：カバン
２２：楽器
２３：うちわ
２４：筆記具
２５：マフラー
５０〜５１：ファー状の装飾品
５２：宝石様の装飾品
５３：ブランド名などが記載された文字表示物
５４：キャラクター表示物
５５：機能物
５６：収納具
【図１】
0003216175.tif 000003
【図２】
0003216175.tif 000004
【図３】
0003216175.tif 000005
【図４】
0003216175.tif 000006
【図５】
0003216175.tif 000007